(57)【特許請求の範囲】
【請求項１】
ダイオキシン類による被ばく可能性のある被ばく行為を行った当事者から採取した血液中の指標物質の濃度により、前記当事者の前記ダイオキシン類の被ばく状況を判定する化学物質被ばく判定方法であって、
前記被ばく行為後に前記当事者から採取した採血血液の前記指標物質の血中濃度が、予め設定された閾値を超えて異常と判断された場合に、
前記被ばく行為前に前記当事者から採血して保存しておいた保存血液について前記指標物質の血中濃度の測定による血液検査を行い、前記被ばく行為後に採取した血液の検査結果と対比して被ばく判定を行うことを特徴とする化学物質被ばく判定方法。
【請求項２】
ポリ塩化ジベンゾフラン、ポリ塩化ジベンゾ−パラ−ジオキシン、およびコプラナーＰＣＢであるダイオキシン類の被ばく可能性のある領域内への立入り、あるいは、前記ダイオキシン類の被ばく可能性のある作業に従事する被ばく行為を行った当事者から採取した血液中の指標物質の濃度により、前記当事者の前記ダイオキシン類の被ばく状況を判定する化学物質被ばく判定方法であって、
前記被ばく行為を行う前の前記当事者から採取した血液を保存する被ばく行為前血液保存ステップと、
前記被ばく行為後の前記当事者から採取した採血血液に対して、ポリ塩化ジベンゾフラン、ポリ塩化ジベンゾ−パラ−ジオキシン、およびコプラナーＰＣＢを前記指標物質として血中濃度を測定する被ばく行為後血液検査ステップと、
前記被ばく行為後血液検査ステップで測定された前記指標物質の総血中濃度が、予め設定されている閾値に比較して前記閾値を超える異常か否かを判断する異常判断ステップと、
前記異常判断ステップで、異常と判断された場合に、前記被ばく行為前血液保存ステップで保存されていた保存血液で、前記指標物質の血中濃度を測定する血液検査を行う保存血液検査ステップと、
前記被ばく行為後血液検査ステップの結果と、前記保存血液検査ステップの結果とから被ばく判定を行う被ばく判定ステップとを有することを特徴とする化学物質被ばく判定方法。
【請求項３】
請求項１または２記載の化学物質被ばく判定方法において
前記被ばく行為後に前記当事者から採取した採血血液の前記指標物質の血中濃度の異常判断は、ポリ塩化ジベンゾフラン、ポリ塩化ジベンゾ−パラ−ジオキシン、およびコプラナーＰＣＢの総血中濃度が、2,3,7,8-TCDD毒性等価換算等量（TEQ）で６０pg-TEQ/gを閾値として、その閾値を超えた場合を異常と判断することであることを特徴とする化学物質被ばく判定方法。
【発明の詳細な説明】
【０００１】
【発明の属する技術分野】
本発明は、廃棄物焼却施設内などのダイオキシン類が発生する場所での作業や、ダイオキシン類で汚染されているものの除染作業などに従事した当事者のダイオキシン類の被ばく判定技術に関し、判定に際しての手順を必要最小限に省略することで、判定コストの低コスト化を図るのに有効な技術である。
【０００２】
【従来の技術】
ダイオキシン類のばく露のおそれがある作業者等の当事者の被ばく判定方法は、携わる作業の質により異なる。例えば、焼却施設の運転管理業務のように日常的にダイオキシン類のばく露のおそれがあるような場合には、定期的な血液検査を実施して、ポリ塩化ジベンゾフラン、ポリ塩化ジベンゾ−パラ−ジオキシン、およびコプラナーＰＣＢを指標物質として、ダイオキシン類の血中濃度の測定を行っている。
【０００３】
これとは別に、ダイオキシン類で汚染されたものを除去する場合などにおいては、作業の前後に血液検査を実施してダイオキシン類血中濃度の測定を行っている。
【０００４】
また、通常ばく露のおそれのある場合には、保護具を付けて作業を行うが、事故などで被ばくのおそれがあった場合には、その時点で採血し、血中ダイオキシン類濃度を測定し、被ばく状況を判定している。
【０００５】
いずれの場合も、採血は病院や診療所で行われ、血液検査は病院の検査室もしくは衛生検査所などで実施されている。ダイオキシン類の血液検査は、高度な技術が要求され、コストも一人１回当たり約４０〜５０万円程度必要となる。
【０００６】
かかる作業中のダイオキシン類によるばく露に関しては、例えば、廃棄物焼却炉を有する廃棄物の焼却施設における焼却炉などの運転、点検等作業及び解体作業に従事する労働者のダイオキシン類へのばく露防止の徹底を図る目的で、厚生労働省により作成された「廃棄物焼却施設内作業におけるダイオキシン類ばく露防止対策要綱」がある。
【０００７】
かかる「廃棄物焼却施設内作業におけるダイオキシン類ばく露防止対策要綱」では、上記ダイオキシン類とは、ポリ塩化ジベンゾフラン、ポリ塩化ジベンゾ−パラ−ジオキシン、およびコプラナーＰＣＢをいうものとしている。
【０００８】
また、ばく露防止対策の「運転、点検等作業及び解体作業において共通して講ずべき措置」として、（４）健康管理という項目で、「・・・また、事故、保護具の破損等により当該労働者がダイオキシン類に著しく汚染され、又はこれを多量に吸入したおそれのある場合に、速やかに当該労働者に医師による診察又は処置を受けさせること。なお、この場合には、必要に応じて、当該労働者の血中ダイオキシン類濃度測定を行い、その結果を記録して３０年間保存しておくこと。」と規定されている。
【０００９】
【発明が解決しようとする課題】
現在は、かかる要綱を踏まえて、ダイオキシン類などで汚染されたものを除去する作業に係る作業者全員を対象として、作業の始まる前に採血を行い、ダイオキシン類の血中濃度を測定している。その後、作業が終了した時点で、再度採血して血液検査を実施し、作業に基づく被ばく状況の判定を行っている。
【００１０】
かかる従来の被ばく判定手順では、作業者一人に対して２回の採血と血液検査が実施されることとなる。血液検査には、多くの手間等がかかり、且つ、検査費用も前述の如く高額となる。
【００１１】
そこで、本発明者は、かかるダイオキシン類の被ばく判定における血液検査の円滑化と、低コスト化を進めることができないかと考えた。
【００１２】
作業者の被ばく判定を行うことは、作業者の健康管理、作業安全の上からも必要なことである。しかし、高い検査コストでは、その検査コストは、作業コストに反映されることとなり、焼却施設内の作業の低コスト化を阻む一つの要因となる。
【００１３】
また、焼却施設は極めて公共性の高い施設であり、地域住民の税金を使用してその維持管理が行われている場合が多く、かかる焼却施設の維持管理等が低コストで行えれば、かかる維持管理に係る項目の歳出の大幅な節約が期待でき、ある意味では、その分、地域住民のかかる焼却施設における維持管理に対する負担を軽減することに繋がる。
【００１４】
一方、検査コストの低減を図るといっても、検査精度を低下させるものであっては意味がない。すなわち、これまでの検査精度を維持しつつも、且つ検査コストの低減が図れる技術の開発が強く求められる。
【００１５】
本発明の目的は、ダイオキシン類等の化学物質の血中濃度に基づく化学物質の被ばく判定を低コストで行えるようにすることにある。
【００１６】
【課題を解決するための手段】
本発明は、化学物質の被ばく可能性のある被ばく行為を行った当事者から採取した血液中の指標物質の濃度により、前記当事者の前記化学物質の被ばく状況を判定する化学物質被ばく判定方法であって、前記被ばく行為後に前記当事者から採取した採血血液の前記指標物質の血中濃度が、予め設定された閾値を超えて異常と判断された場合に、前記被ばく行為前に前記当事者から採血して保存しておいた保存血液について前記指標物質の血中濃度の測定による血液検査を行って、前記被ばく行為後に採取した血液の検査結果と対比して被ばく判定を行うことを特徴とする。
【００１７】
また、本発明は、化学物質の被ばく可能性のある領域内への立入り、あるいは、前記化学物質の被ばく可能性のある作業への従事などの被ばく行為を行った当事者から採取した血液中の指標物質の濃度により、前記当事者の前記化学物質の被ばく状況を判定する化学物質被ばく判定方法であって、前記被ばく行為を行う前の前記当事者から採取した血液を保存する被ばく行為前血液保存ステップと、前記被ばく行為後の前記当事者から採取した採血血液に対して、前記指標物質の血中濃度を測定する被ばく行為後血液検査ステップと、前記被ばく行為後血液検査ステップで測定された前記指標物質の総血中濃度が、予め設定されている閾値に比較して前記閾値を超える異常か否かを判断する異常判断ステップと、前記異常判断ステップで、異常と判断された場合に、前記被ばく行為前血液保存ステップで保存されていた保存血液で、前記指標物質の血中濃度を測定する血液検査を行う保存血液検査ステップと、前記被ばく行為後血液検査ステップの結果と、前記保存血液検査ステップの結果とから被ばく判定を行う被ばく判定ステップとを有することを特徴とする構成としても構わない。
【００１８】
上記両構成において、前記被ばく行為前に前記当事者から採血した血液を保存するには、冷凍保存することを特徴とする。
【００１９】
上記いずれかの構成において、前記化学物質は、ダイオキシン類であることを特徴とする。かかる前記ダイオキシン類としては、ポリ塩化ジベンゾフラン、ポリ塩化ジベンゾ−パラ−ジオキシン、およびコプラナーＰＣＢを想定しても構わない。
【００２０】
上記いずれかの構成において、前記被ばく行為後に前記当事者から採取した採血血液の前記指標物質の血中濃度は、ポリ塩化ジベンゾフラン、ポリ塩化ジベンゾ−パラ−ジオキシン、およびコプラナーＰＣＢの総血中濃度が、2,3,7,8-TCDD毒性等価換算等量（TEQ）で６０pg-TEQ/gを超えた場合を異常と判断してもよい。
【００２１】
本発明では上記構成に示す如く、被ばく行為後の血液検査で異常が認められた場合に被ばく前の採血血液の血液検査を行うため、被ばく行為の前後で当初から一律に血液検査を行う従来手法とは異なり、高度の技術と手間のかかるダイオキシン類等の血中濃度の測定を行う血液検査の回数を減らすことが可能となり、血液検査にかかる費用の低減が図れ、全体として検査の低コスト化を図ることができる。
【００２２】
また、本発明の構成は、ダイオキシン類だけでなく、危険な化学物質などに被ばくして、汚染される可能性のある作業についても適用できるものであり、ダイオキシン類と同様の本発明を構成する上記手順を採用することができる。
【００２３】
本発明を構成するダイオキシン類ばく露における血中濃度判定手順においては、作業者全員の採血は従来と同様に被ばく行為となる作業前と作業完了後とに実施すればよい。
【００２４】
しかし、作業前の採血は、直ぐに血液検査を実施せず、病院の検査室や衛生検査所などの適所にて冷凍保存しておく。作業完了後の採血については、従来のように、すぐに血液検査により血中ダイオキシン類の濃度測定にかける。
【００２５】
かかる測定の結果、血液濃度に異常が認められた作業当事者に限って、冷凍保存しておいた作業前の血液について、ダイオキシン類の血中濃度を測定して、被ばくの判定を行えばよい。
【００２６】
【発明の実施の形態】
以下、本発明の実施の形態を図面に基づいて詳細に説明する。図１は、本発明の化学物質被ばく判定方法をダイオキシン類の被ばく判定に適用した場合の手順を示すフロー図である。図２は、従来のダイオキシン類の被ばく判定方法として採用されていた手順を示すフロー図である。
【００２７】
以下の説明では、厚生労働省による「廃棄物焼却施設内作業におけるダイオキシン類ばく露防止対策要綱」に基づく作業等を行った場合のダイオキシン類によるばく露状況を想定した場合を例に挙げて説明する。
【００２８】
本発明では、ダイオキシン類に汚染されるおそれのある領域として、例えば、上記「廃棄物焼却施設内作業におけるダイオキシン類ばく露防止対策要綱」に記載されている焼却に際してダイオキシン類の発生が考えられる廃棄物焼却炉を有する廃棄物の焼却施設を考えればよい。
【００２９】
また、当事者としては、かかる焼却施設内を領域とする場合に、以下の作業に従事する者を想定すればよい。
【００３０】
すなわち、（１）廃棄物の焼却施設におけるばいじん及び焼却灰その他の燃え殻の取扱いの業務に係る作業、（２）廃棄物の焼却施設に配置された廃棄物焼却炉、集じん機等の設備の保守点検等の業務に係る作業、（３）廃棄物の焼却施設に配置された廃棄物焼却炉、集じん機等の設備の解体等の業務及びこれに伴うばいじん及び焼却灰その他の燃え殻の取扱いの業務に係る作業が考えられる。
【００３１】
上記（１）廃棄物の焼却施設におけるばいじん及び焼却灰その他の燃え殻の取扱いの業務に係る作業については、より具体的には、ア）焼却炉、集じん機等の内部で灰出しの作業、あるいは、イ）焼却炉、集じん機等の内部で行う設備の保守点検等の作業の前に行う清掃等の作業を考えればよい。
【００３２】
あるいは、ウ）焼却炉、集じん機等の外部で行う焼却灰の運搬、飛灰（ばいじん等）の固化等焼却灰、飛灰等を取り扱う作業、あるいは、エ）焼却炉、集じん機等の外部で行う清掃等の作業、あるいは、オ）焼却炉、集じん機等の外部で行う上記ア）及びイ）の作業の支援及び監視等の作業を想定すればよい。
【００３３】
（２）廃棄物の焼却施設に配置された廃棄物焼却炉、集じん機等の設備の保守点検等の業務に係る作業については、より具体的には、ア）焼却炉、集じん機等の内部で行う設備の保守点検等の作業、あるいは、イ）焼却炉、集じん機等の外部で行う焼却炉、集じん機その他の装置の運転、保守点検等の作業が考えられる。
【００３４】
あるいは、ウ）焼却炉、集じん機等の外部で行う（２）のア）の作業の支援、監視等の作業を想定すればよい。
【００３５】
但し、ウ）の作業において、保守点検等に伴い、ばいじん及び焼却灰その他の燃え殻等を取り扱う場合は、上記（１）の作業に該当するものとすればよい。
【００３６】
（３）廃棄物の焼却施設に配置された廃棄物焼却炉、集じん機等の設備の解体等の業務及びこれに伴うばいじん及び焼却灰その他の燃え殻の取扱いの業務に係る作業については、より具体的には、ア）廃棄物焼却炉、集じん機、煙道設備、排煙冷却設備、洗煙設備、排水処理設備及び廃熱ボイラー等の設備の解体又は破壊の作業、あるいは、イ）上記ア）に係る設備の大規模な撤去を伴う補修・改造の作業、ウ）上記ア及びイの作業に伴うばいじん及び焼却灰その他の燃え殻を取り扱う作業を想定することができる。
【００３７】
但し、耐火レンガの取替え等、定期的に行う点検補修作業で大規模な撤去を伴わない作業については、上記（２）の作業に該当するものと考えればよい。
【００３８】
上記説明における廃棄物焼却炉としては、火床面積としては０．５平方メートル以上又は焼却能力が１時間当たり５０キログラム以上のもので、かかる焼却炉を有する廃棄物の焼却施設を想定すればよい。かかる規模の焼却施設では、よりダイオキシン類の発生可能性が高いと考えられるからである。
【００３９】
しかし、施設規模のみでダイオキシン類の発生可能性を確定することはできず、上記規模より小規模の焼却施設へ適用しても勿論構わない。
【００４０】
小規模焼却施設においても、適用しておけば、より確実に作業におけるダイオキシン類のばく露状況の判断が行え、従事作業者における被ばく関連の健康管理をより十全に図ることができる。
【００４１】
図１に示すように、本発明の化学物質被ばく判定方法では、ダイオキシン類の被ばくのおそれがある領域に当事者が立ち入る前に、あるいは、ダイオキシン類の被ばくのおそれのある作業に従事する前に、ステップＳ１１０の被ばく行為前血液保存ステップに示すように、当事者から採血を行い、採血した血液を保存する。
【００４２】
当事者からの採血は、例えば、診療所、病院等のダイオキシン類に汚染されることなく採血、血液保存が行われる施設で行えばよい。簡便には、移動採血車を利用することも考えられる。
【００４３】
採血血液の保存方法としては、例えば、冷凍保存を採用することができる。かかる冷凍保存においては、採血血液を冷凍保存用試験管に入れ、−２０℃以下の冷蔵庫に保存する。かかる保存方法であれば、長期保存であっても、血漿は破壊されるものの腐敗は起こらず、ダイオキシン類は分解されることがなく、後日のダイオキシン類血中濃度の測定に問題となる程の支障は発生しない。
【００４４】
尚、保存後の血液検査で、ダイオキシン類の血中濃度判断ができる方法であれば、血液保存を上記冷凍保存に限定する必要はない。
【００４５】
上記のように被ばく行為前に採血した当事者は、少なくとも「廃棄物焼却施設内作業におけるダイオキシン類ばく露防止対策要綱」に定められた保護具等の装着を行って万全の被ばく対策を施した上で、ダイオキシン類ばく露のおそれのある領域に立ち入り、所要の作業を行う。
【００４６】
所要の作業とは、例えば、前述の（１）廃棄物の焼却施設におけるばいじん及び焼却灰その他の燃え殻の取扱いの業務に係る作業、（２）廃棄物の焼却施設に配置された廃棄物焼却炉、集じん機等の設備の保守点検等の業務に係る作業、（３）廃棄物の焼却施設に配置された廃棄物焼却炉、集じん機等の設備の解体等の業務及びこれに伴うばいじん及び焼却灰その他の燃え殻の取扱いの業務に係る作業等が考えられる。勿論、かかる作業以外の目的で立ち入る場合も想定して構わない。
【００４７】
上記領域内への立ち入り、所要作業等と被ばく行為が終了した後に、再度、採血を行う。採血要領は、例えば、領域内への立入前採血と同様に、所定の診療所等で行えばよい。
【００４８】
かかる採血血液に対して、図１のステップＳ１２０の被ばく行為後血液検査ステップに示すように、作業後採血血液の血液検査を行う。すなわち、ダイオキシン類の血中濃度を測定する。かかる血液検査では、例えば、採血された血液をジクロロメタンで抽出し、その後ガスクロマトグラフ／質量分析計にかけて、血中のダイオキシン類の同定及びその定量を行う。
【００４９】
ダイオキシン類の血中濃度の測定に関しては、指標物質として、被ばくが心配されているダイオキシン類を使用すればよい。例えば、ポリ塩化ジベンゾフラン、ポリ塩化ジベンゾ−パラ−ジオキシン、およびコプラナーＰＣＢを指標物質として、その同定、定量を行えばよい。
【００５０】
被ばくが心配されているダイオキシン類の血中濃度の測定に関しては、直接そのダイオキシン類の血中濃度を同定、定量するものでなくても、そのダイオキシン類の同定、定量ができるものであれば、例えば、かかるダイオキシン類の分解物質、あるいは、ダイオキシン類との反応物などを指標物質としても構わない。
【００５１】
上記要領でダイオキシン類の血中濃度を測定した後は、図１のステップＳ１３０のダイオキシン類血中濃度の異常判断ステップに示すように、測定されたダイオキシン類血中濃度が異常か否かを判断する。かかる判断に際しては、予め設定しておいた閾値と測定した血中濃度値とを比較して判断すればよい。
【００５２】
異常と判断する前提となる上記閾値としては、例えば、一般の日本人の血中ダイオキシン類濃度が６０pg-TEQ/g以下であることから、この値を閾値として設定しておけばよい。すなわち、血中のダイオキシン類濃度が６０pg-TEQ/gを超えた場合に、異常と判断すればよい。異常の判断は、正確を期すべく、例えば、公衆衛生学の専門家等の判断を仰げばよい。
【００５３】
上記閾値として設定した値は、「廃棄物焼却施設内作業におけるダイオキシン類ばく露防止対策要綱」に記載のダイオキシン類としてのポリ塩化ジベンゾフラン、ポリ塩化ジベンゾ−パラ−ジオキシン、およびコプラナーＰＣＢの総血中濃度を、これ以外のダイオキシン類のなかでも毒性の極めて強い2,3,7,8-TCDDの毒性に換算して評価する毒性等価換算等量（TEQ）として示した。
【００５４】
因みに、2,3,7,8-TCDDとは、２，３，７，８−テトラクロロジベンゾ−パラ−ジオキシン（ 2,3,7,8-tetrachlorodibenzo-p-dioxine ）を意味している。
【００５５】
尚、かかる血液検査は、上記方法に限定する必要はなく、公衆衛生学、医学的見地から、ダイオキシン類の血中濃度が正当に判断できる方法であれば採用しても構わない。さらに、異常判断の閾値としては、ダイオキシン類の異常性判断が正当に行えるのであれば、上記以外の設定値であっても構わない。
【００５６】
ダイオキシン類血中濃度の異常判断ステップＳ１３０で、特段の異常が認められない場合には、当事者のダイオキシン類被ばくはないものと判断することができる。この場合は、図１のステップ１３０に示すように、終了となる。
【００５７】
一方、ダイオキシン類の血中濃度の異常判断ステップＳ１３０で、異常との判断が下された場合には、図１のステップ１４０の被ばく行為後血液検査ステップに示すように、保存してある被ばく行為前採血血液の血液検査を行う。
【００５８】
ステップＳ１４０では、ステップＳ１１０の被ばく行為前採血血液保存ステップで保存された保存血液のうち、異常と判断された当事者の保存血液に対してのみ血液検査を行う。血液検査の要領は、前記ステップＳ１２０で行ったと同様の方法で行えばよい。
【００５９】
ステップＳ１４０での血液検査終了後は、当事者の被ばく判定ステップＳ１５０に進む。ステップＳ１４０で測定された被ばく行為としての作業を行う前の当事者のダイオキシン類の血中濃度に基づき、作業後の採血血液に基づくダイオキシン類血中濃度の異常が、従事した作業によるダイオキシン類の被ばくにより発生したものか否かを判定する。
【００６０】
本発明の上記化学物質被ばく判定方法を適用すれば、上記の如く、ステップＳ１３０で異常と判断された場合にのみ、ステップＳ１１０で保存された血液の血液検査を行えばよいこととなる。すなわち、ステップＳ１３０で異常と判断されない場合には、血液検査は、ステップＳ１２０で行う被ばく行為後の血液検査だけで済むこととなる。
【００６１】
従来の判断手法では、図２にそのフローを示すように、被ばく行為の前後で、すなわち、作業前血液検査と、作業後血液検査との両方を行わなければならない。
【００６２】
しかし、本発明の手法であれば、被ばく行為後の血液検査におけるダイオキシン類血中濃度に異常が認められない場合には、先に行っていた作業前血液検査の結果は考慮しないでも被ばく判定ができることとなる。
【００６３】
すなわち、被ばくしていない場合には、あるいは当事者の許容値を超える程の異常被ばくがない場合には、図２に示す従来手法では必須とされている作業前血液検査を省き、検査そのもののその省力化を図ることができる。
【００６４】
因みに、図２に示す従来手法のフローを説明する。従来手法では、ステップＳ２１０で、作業前採血血液の血液検査を行う。すなわち、ステップＳ２１０で、当事者がダイオキシン類の汚染の可能性がある領域内に立ち入ったり、あるいは作業に従事するなどしてダイオキシン類のばく露を受ける被ばく行為を行う前に、診療所等で採血を行い、その採血血液に対してダイオキシン類の血中濃度を測定する等の血液検査を行う。
【００６５】
本発明では、図１に示すように、被ばく行為を行う前に採血はするものの、血液検査をその時点で行わない。被ばく行為後の採血血液のダイオキシン類血中濃度の状況の異常との判断に基づいてのみ、血液検査を行うこととなる。
【００６６】
ステップＳ２１０で血液検査を行った後は、当事者は、焼却施設内に立ち入る等して、所要の作業を行う。かかる所要の作業とは、前述の如く、例えば、（１）廃棄物の焼却施設におけるばいじん及び焼却灰その他の燃え殻の取扱いの業務に係る作業、（２）廃棄物の焼却施設に配置された廃棄物焼却炉、集じん機等の設備の保守点検等の業務に係る作業、（３）廃棄物の焼却施設に配置された廃棄物焼却炉、集じん機等の設備の解体等の業務及びこれに伴うばいじん及び焼却灰その他の燃え殻の取扱いの業務に係る作業等が考えられる。勿論、かかる作業以外の目的で立ち入る場合も想定して構わない。
【００６７】
かかる所要の作業の終了後、当事者から採血を再度行い、この採血血液に対して、図２のステップＳ２２０に示すように作業後採血血液の血液検査を行い、ダイオキシン類の血中濃度の測定を行う。
【００６８】
ステップＳ２２０終了後は、被ばく判定ステップＳ２３０に進む。すなわち、ステップＳ２２０で作業後に採血した血液中のダイオキシン類血中濃度の測定結果と、ステップＳ２１０で測定した作業前に採血した血液中のダイオキシン類濃度の測定結果とを比較して、作業後に求められたダイオキシン類血中濃度が、作業被ばくによるものか否かを判定する。
【００６９】
しかし、本発明の方法を用いれば、かかる従来手法とは異なり、作業前の採血による血液保存は行うものの、その血液検査は、作業後の血液検査でダイオキシン類血中濃度に異常が認められた者だけに行えばよく、一律に作業前採血血液に血液検査を行う従来方法に比べて、ダイオキシン類の血中濃度異常が認められない場合には、血液検査工程を省くことができ、血液検査コストの大幅な低減が図れる。
【００７０】
例えば、ダイオキシン類被ばく可能性がある作業に当事者５人が従事して、結果として作業に基づくダイオキシン類の被ばくはなかったものと仮定した場合、１人１回の血液検査費用を４０万円と想定して、かかる判定に要する血液検査費用を算定してみる。
【００７１】
従来手法に基づく場合には、図２に示すように、ステップＳ２１０、Ｓ２２０で２回血液検査を行わなければならないため、血液検査費用は、４０万円×２回×５人で、総額４００万円となる。
【００７２】
しかし、本発明を適用すれば、図１に示すように、血液検査は、ステップＳ１２０の作業後採血血液の血液検査のみで済む。すなわち、血液検査費用は、４０万円×５人で、総額２００万円となり、従来手法の半分に低減することができる。
【００７３】
また、上記作業に従事した当事者のうち２人が被ばくしたものと想定した場合の従来手法と、本発明の手法とにおける血液検査費用を算定してみる。従来手法では、一律に当初から２回血液検査を行うため、血液検査費用の総額は、前述の如く４００万円である。
【００７４】
本発明を適用した場合には、血液検査の回数は、図１に示すステップＳ１２０でダイオキシン類の血中濃度異常を示した２人についてのみ２回、他の３人については１回で済むため、（４０万円×２回×２人）＋（４０万円×３人）となり、総額は２８０万円で、従来手法に比べて、実に３割も血液検査コストを低減することができる。
【００７５】
５人全員が図１に示すステップＳ１３０で異常と判断されたと想定した場合には、５人全員に作業前と作業後との採血血液に血液検査を行うこととなるため、血液検査費用総額は、４００万円となる。しかし、かかる血液検査費用は、従来手法おける場合と同一である。
【００７６】
すなわち、本発明を適用する場合には、全員が作業により異常と認められる程のダイオキシン類血中濃度を示す場合を除いて、その他の場合には、従来手法より大幅に血液検査費用の低コスト化を図ることができるのである。その効果は、極めて大きい。
【００７７】
本発明の方法は、健康被害を及ぼすと考えられる閾値を基準として作業後のダイオキシン類血中濃度の判断を行い、異常と認められる場合にのみ、その異常が作業に基づく被ばくか否かを判定する手法と言える。
【００７８】
一方、従来方法は、作業前後の採血血液に基づく血液検査から、被ばくが作業に基づくものか否かを当初から判定する手法とも言える。
【００７９】
すなわち、本発明の手法では、従来手法とは異なり、当初から被ばくが作業に基づくものか否かの判断を行うのではなく、血中のダイオキシン類濃度が異常の場合にのみその判定を行うようにすることで、一律に行う血液検査を、必要とする当事者にのみ限定して、極力血液検査の手間を省こうとするものである。
【００８０】
本発明は、上記実施の形態に限定されるものではなく、その要旨を逸脱しない範囲で必要に応じて変更してもよい。
【００８１】
例えば、本発明の化学物質被ばく判定方法は、前記「廃棄物焼却施設内作業におけるダイオキシン類ばく露防止対策要綱」に規定する内容への適用にのみ限定する必要はなく、例えば、ＰＣＢや環境ホルモン等の人体に有害な化学物質による被ばくの判定手順に適用してもよい。
【００８２】
【発明の効果】
本発明によれば、ダイオキシン類などの化学物質の被ばく状況の判定を行うための血液検査に係るコストの低減を図ることができる。
【図面の簡単な説明】
【図１】本発明の化学物質被ばく判定方法の手順の一例を示すフロー図である。
【図２】ダイオキシン類による被ばく判定方法の従来手順を示すフロー図である。
【符号の説明】
Ｓ１１０  ステップ
Ｓ１２０  ステップ
Ｓ１３０  ステップ
Ｓ１４０  ステップ
Ｓ１５０  ステップ
Ｓ２００  ステップ
Ｓ２１０  ステップ
Ｓ２２０  ステップ
【図１】
0003955791.tif 000002
【図２】
0003955791.tif 000003